(57)【特許請求の範囲】
【請求項１】
室内機の筐体と、前記筐体内に配される光源と、前記筐体の前面に配されるとともに前記光源の点灯によって図柄を視認可能に表示する表示パネルとを備えた空気調和機において、
前記表示パネルにハーフミラー処理を施すとともに、前記ハーフミラー処理を施した面と前記光源との間に前記図柄を形成したことを特徴とする空気調和機。
【請求項２】
前記表示パネルの背面の略全面に形成したハーフミラー膜の背面側に、前記図柄部分を除いて不透明体膜を積層したことを特徴とする請求項１に記載の空気調和機。
【請求項３】
前記表示パネルのハーフミラー処理を施した面は平面から成ることを特徴とする請求項１または請求項２に記載の空気調和機。
【請求項４】
前記表示パネルの対向する２辺に沿って前記表示パネルを保持するためのブラケット部を設け、前記図柄が形成される表示部よりも前記ブラケット部の厚みを薄くするとともに、前記表示部と前記ブラケット部との境界線を直線にしたことを特徴とする請求項１〜請求項３のいずれかに記載の空気調和機。
【請求項５】
前記ブラケット部と係合する爪部または溝部を前記筐体に設けたことを特徴とする請求項４に記載の空気調和機。
【請求項６】
前記表示パネルと前記光源との間に拡散体を設けたことを特徴とする請求項１〜請求項５のいずれかに記載の空気調和機。
【請求項７】
前記拡散体を着色したことを特徴とする請求項６に記載の空気調和機。
【請求項８】
前記筐体は前面グリルを有する前部と、壁面に取り付けられるとともに前記前部よりも横幅が短い後部とから成り、前記前部の前面を側面から見て前方に凸となる曲面にするとともに、前記前部と前記後部との境界を側面から見て後方に凸となる曲面にしたことを特徴とする請求項１〜請求項７のいずれかに記載の空気調和機。
【請求項９】
前記後部の側面に、水平に延びる縞模様を設けたことを特徴とする請求項８に記載の空気調和機。
【請求項１０】
前記前面グリルの桟と、前記縞模様と、前記表示パネルとを平行にしたことを特徴とする請求項９に記載の空気調和機。
【発明の詳細な説明】
【０００１】
【発明の属する技術分野】
本発明は、空気調和機に関し、特に、文字や絵文字等の図柄を表示する表示手段を室内機に備えた空気調和機に関する。
【０００２】
【従来の技術】
空気調和機の室内機には運転状態を表示する表示手段が設けられており、従来の表示手段は図１１、図１２に示すようになっている。図１１は断面図、図１２は正面図を示している。室内機の前面は前面パネル２に覆われ、文字、絵文字、記号等の図柄１２が印刷された表示パネル１０が爪部１０ａ、１０ｂの係合により前面パネル２に取り付けられている。
【０００３】
表示パネル１０には図柄１２の上方に孔部１０ｃが形成されている。光束を拡散して透過する拡散体１１が孔部１０ｃを塞ぐように表示パネル１０に固着されている。拡散体１１の背後には回路基板５上に実装されたＬＥＤ等の光源６が配されている。
【０００４】
光源６から射出される光束は反射板７により拡散体１１に導かれ、孔部１０ｃから均一な光束が出射される。これにより、図柄１２の上方が発光し、使用者は空気調和機が図柄１２に示された運転状態であることを認識できるようになっている。
【０００５】
しかし、上記の表示手段は光源６の点灯を容易に視認できるが、点灯した光源６に対応した図柄１２を離れた位置から読み取ることが困難である。このため、運転状態確認のために使用者が空気調和機に接近する必要があり、使用に不便を来していた。
【０００６】
これに対し、図柄を光源により照射する表示手段を有した空気調和機が実開昭５８−１０８３３３号公報に開示されている。同公報によると、表示パネルには図柄が描かれた透明の文字板が設けられ、文字板の背後に光源が配される。光源を点灯すると、光源から射出された光束は文字板を透過して図柄が視認可能に表示される。従って、使用者が離れた位置にいても空気調和機の運転状態を容易に確認できるようになっている。
【０００７】
また、文字板と光源との間に拡散体を配置する実施例も開示されている。従って、表示パネルの外面から入射する光が文字板を透過しても、例えば乳白色の拡散体により室内機の内部が視認されず、美観を損ねないようになっている。
【０００８】
また、従来の空気調和機の室内機の筐体は図１３の側面図に示すようになっている。筐体２０は壁面に取り付けられるキャビネット４の前面を前面パネル２により覆って構成されている。キャビネット４内にはファンモータ、熱交換器、制御部等が配されている。前面パネル２の前面には前面グリル（不図示）を有するオープンパネル３が着脱自在に設けられている。
【０００９】
【発明が解決しようとする課題】
しかしながら、上記の実開昭５８−１０８３３３号公報に開示された空気調和機によると、表示パネルの外面から入射した光が文字板を透過するため、拡散体によって例えば乳白色の図柄が視認可能となる。このため、表示パネルに外光が入射すると、外光により視認可能となった図柄と、光源の点灯によって視認可能となった図柄との区別がつきにくくなる。従って、空気調和機の運転状態を明確に把握できない問題があった。
【００１０】
また、従来の空気調和機によると、省エネルギー化を図るために熱交換量を大きくして熱交換器を大型にすると筐体２０の奥行きＤ（図１３参照）が大きくなる。このため、使用者に圧迫感を与えて快適な室内空間を得られない問題があった。
【００１１】
本発明は、美観を損ねることなく運転状態を明確に把握できる空気調和機を提供することを目的とする。また本発明は、圧迫感をなくして快適な室内空間を得ることのできる空気調和機を提供することを目的とする。
【００１２】
【課題を解決するための手段】
上記目的を達成するために本発明は、室内機の筐体と、前記筐体内に配される光源と、前記筐体の前面に配されるとともに前記光源の点灯によって図柄を視認可能に表示する表示パネルとを備えた空気調和機において、
前記表示パネルにハーフミラー処理を施すとともに、前記ハーフミラー処理を施した面と前記光源との間に前記図柄を形成したことを特徴としている。
【００１３】
この構成によると、光源から射出された光束が図柄を透過して出射されて図柄が視認可能になる。また、外面から表示パネルに入射する外光はハーフミラー処理が施されたされた面で反射して反射像が映し出される。
【００１４】
また本発明は、上記構成の空気調和機において、前記表示パネルの背面の略全面に形成したハーフミラー膜の背面側に、前記図柄部分を除いて不透明体膜を積層したことを特徴としている。この構成によると、外面から表示パネルに入射する外光は表示パネルの略全面に配されたハーフミラー膜で反射する。
【００１５】
また本発明は、上記構成の空気調和機において、前記表示パネルのハーフミラー処理を施した面は平面から成ることを特徴としている。この構成によると、外面から表示パネルに入射する光束は表示パネルで反射して歪みのない反射像が形成される。
【００１６】
また本発明は、上記構成の空気調和機において、前記表示パネルの対向する２辺に沿って前記表示パネルを保持するためのブラケット部を設け、前記図柄が形成される表示部よりも前記ブラケット部の厚みを薄くするとともに、前記表示部と前記ブラケット部との境界線を直線にしたことを特徴としている。
【００１７】
この構成によると、表示パネルはブラケット部により保持され、外面から表示パネルの表示部に入射する外光によりハーフミラー膜には表示部とブラケット部との境界線が映し出される。この時、境界線の像は表示部の端部の近傍に直線に形成される。
【００１８】
また本発明は、上記構成の空気調和機において、前記ブラケット部と係合する爪部または溝部を前記筐体に設けたことを特徴としている。この構成によると、表示パネルに爪部を突設することなく容易に表示パネルを筐体に取り付け可能となる。
【００１９】
また本発明は、上記構成の空気調和機において、前記表示パネルと前記光源との間に拡散体を設けたことを特徴としている。この構成によると、光源から射出された光束は拡散体で拡散して透過し、均一な光量で図柄から光が射出される。
【００２０】
また本発明は、上記構成の空気調和機において、前記拡散体を着色したことを特徴としている。この構成によると、所望の色で図柄から光が射出される。
【００２１】
また本発明は、上記構成の空気調和機において、前記筐体は前面グリルを有する前部と、壁面に取り付けられるとともに前記前部よりも横幅が短い後部とから成り、前記前部の前面を側面から見て前方に凸となる曲面にするとともに、前記前部と前記後部との境界を側面から見て後方に凸となる曲面にしたことを特徴としている。この構成によると、筐体後部の側面の少なくとも一部が筐体前部により隠れて見えなくなるとともに、筐体前部の上下端の奥行きが狭いので、筐体の奥行きが狭く感じられる。
【００２２】
また本発明は、上記構成の空気調和機において、前記後部の側面に、水平に延びる縞模様を設けたことを特徴としている。
【００２３】
また本発明は、上記構成の空気調和機において、前記前面グリルの桟と、前記縞模様と、前記表示パネルとを平行にしたことを特徴としている。この構成によると、前面グリルの桟と、縞模様と、表示パネルとが水平に並んで配され、美観が向上する。
【００２６】
【発明の実施の形態】
以下に本発明の実施形態を図面を参照して説明する。説明の便宜上、従来例の図１１〜図１３と同一の部分については同一の符号を付している。図１、図２は第１実施形態の空気調和機の室内機を示す斜視図及び側面図である。室内機の筐体２０は壁面に取り付けられるキャビネット４の前面を前面パネル２により覆って構成されている。
【００２７】
キャビネット４内にはファンモータ、熱交換器、制御部等が配されている。前面パネル２の前面には前面グリル３ａを有するオープンパネル３が着脱自在に設けられている。キャビネット４の横幅は前面パネル２の横幅よりも狭くなっている。また、前面パネル２の背面２ａは側面から見て後方に凸になっており、前面パネル２の前面２ｂ及び前面グリル３ａの前面３ｂは側面から見て前方に凸になっている。
【００２８】
従って、キャビネット４の側面の一部が前面パネル２に隠れるとともに、前面パネル２の上下端の奥行きが狭くなっている。これにより、省エネルギー化を図るために熱交換量を大きくして熱交換器を大型にした際に、筐体２０が大きくなっても奥行きＤが狭く感じられ、使用者の圧迫感を低減して快適な室内空間を得られるようになっている。
【００２９】
尚、前面パネル２の背面２ａを境界として分割された筐体２０の後部の横幅を前部よりも狭くするとともに境界を曲面にしているが、キャビネット４の中間や前面パネル２の中間を筐体２０の前部と後部との境界として、後部の横幅を前部よりも狭くするとともに境界を曲面にしてもよい。
【００３０】
また、キャビネット４の側面には水平に延びる縞状の突起４ａがエッチング加工により形成されている。これにより、使用者の目の錯覚が生じてキャビネット４の奥行きが狭く感じられ、圧迫感をより低減することができる。尚、突起４ａに替えて、キャビネット４に縞模様を印刷してもよい。また、縞模様が印刷された粘着シートを接着してもよい。
【００３１】
オープンパネル３の下方には前面パネル２の横幅方向に延びる表示パネル１が取り付けられている。前面パネル２の斜視図を図３に示すと、前面パネル２は樹脂成形品から成り下部に凹部２ｃが形成されている。表示パネル１は左右方向にスライドして凹部２ｃに装着され、爪部２ｄにより係止されるようになっている。
【００３２】
また、後述するように、表示パネル１は鏡状になっている。そして、帯状の鏡から成る表示パネル１と、前面グリル３ａの桟と、突起部４ａとを水平に配置することによってデザインが統一されて美観が向上し、インテリアとしても快適な室内空間を提供できるようになっている。
【００３３】
図４は表示パネル１の取り付け部分を示す断面図である。前面パネル２の凹部２ｃには、開口部２ｇが形成され、開口部２ｇの背後には光源６が配されている。光源６はＬＥＤ等から成り、回路基板５に装着されている。そして、反射板７により光源６から射出された光束が開口部２ｇを介して凹部２ｃに装着された表示パネル１に導かれるようになっている。
【００３４】
凹部２ｃの要部詳細図を図５に示すと、凹部２ｃの奥側の下部には長手方向（横幅方向）に延びる溝部２ｅが形成されている。凹部２ｃの上部には数カ所の爪部２ｄが形成されている。また、図６に示すように、凹部２ｃの背面には該背面から突出する前後方向に弾性変形可能な押圧部２ｈが形成されている。図７に示すように、表示パネル１の上下端には、後述する図柄が形成される表示部１ｂよりも厚みが薄いブラケット部１ａが長手方向に延びて形成されている。
【００３５】
表示パネル１は前面パネル２の側方から長手方向にスライドして凹部２ｃに挿入される。そして、表示パネル１が押圧部２ｈにより前方へ押圧されてブラケット部１ａが爪部２ｄ及び溝部２ｅに当接し、前面パネル２の前面に係止されるようになっている。
【００３６】
この時、凹部２ｃの上部に設けられた突起部２ｆが表示パネル１の上端に設けられた窪み１ｄに係合して左右方向に位置決めされている。尚、オープンパネル３の下端に設けられた係合部３ｂが爪部２ｄに係合してオープンパネル３が前面パネル２の前面に係止されるようになっている。
【００３７】
図８は表示パネル１の詳細な断面図である。表示パネル１は樹脂成形品やガラス等の透明な部材から成っている。表示パネル１の裏面１ｃには光を反射するアルミニウム薄膜等が蒸着やスパッタにより略全面に成膜され、その膜厚や添加材料を適切に選択することによってハーフミラー膜１５が形成されている。
【００３８】
ハーフミラー膜１５上には、所定の図柄１２を除く略全面に黒系統の色を有した不透明体から成る不透明体膜１６が蒸着やスパッタにより成膜されている。これにより、図柄１２の部分は所定の透過率で光を透過するとともに所定の反射率で光を反射するようになっている。図９に示すように、図柄１２は、例えば「Ｌ」の周囲を光が透過する文字１２ａや、「Ｌ」の内側を光が透過する文字１２ｂ等により形成される。また、矢印等の記号や絵文字により図柄１２を形成してもよい。
【００３９】
前述の図４において、光源６は各図柄１２に面して配置されている。そして、光源６を点灯することにより、図柄１２から光が射出されて正面から視認可能になる。これにより、使用者が空気調和機から離れていても容易に運転状態を把握することができる。
【００４０】
また、光源６を消灯すると、空気調和機の外方から入射する外光が表示パネル１のハーフミラー膜１５で反射して反射像が映し出される。従って、外光によって図柄１２が視認されるおそれがなく、光源６からの光が照射された図柄１２のみが視認される。従って、空気調和機の運転状態を明確に把握して誤認を防止することができる。尚、表示パネル１の裏面１ｃを曲面や凹凸面にすると、反射像が歪みを生じて美観を損ねるため、裏面１ｃを平面に形成する方がより望ましい。
【００４１】
ブラケット部１ａと表示部１ｂとの境界線１ｄは、外光によりハーフミラー膜１５に反射像が映し出される。このため、境界線１ｄを直線にすることで反射像が直線となり、前面グリル３ａ（図１参照）の桟、表示パネル１の長手方向及び突起４ａ（図１参照）と平行になってデザインが統一されて美観を向上させることができる。
【００４２】
また、ブラケット部１ａの厚みを薄くすることによって、境界線１ｄの反射像を表示部１ｂの上下端面に接近して見えるようにすることができる。これにより該反射像を目立たなくすることができ、より美観を向上させることができる。
【００４３】
次に、図１０は第２実施形態の空気調和機の表示パネルの取り付け部分を示す断面図である。前述の図１〜図９に示す第１実施形態と同一の部分には同一の符号を付している。第１実施形態と異なる点は不透明体膜１６の更に上面に透過光を拡散する拡散体膜１７を成膜により形成している点である。その他の構成は第１実施形態と同一である。
【００４４】
本実施形態によると、不透明体膜１６が形成されない図柄１２部分にはハーフミラー膜１５の上に拡散体膜１７が形成される。このため、光源６から射出された光束は拡散体膜１７で拡散して図柄１２に均一に照射される。従って、図柄１２から光が均一に射出されてより視認性を向上させることができる。
【００４５】
また、拡散体膜１７を着色することによって、図柄１２から簡単に所望の色の光を射出させることができる。これにより、運転状態を表示する図柄１２に応じて発光色を可変して、より明確に運転状態を把握することができる。尚、図中、破線で示すように、光源６の前方に拡散体１８を設置してもよい。
【００４６】
尚、第１、第２実施形態において、表示パネル１の前面に図柄１２部分を除いて不透明体膜１６を形成し、その上にハーフミラー膜１５を形成しても同様の効果を得ることができる。しかしながら、第１、第２実施形態のように表示パネル１の裏面に図柄１２を形成する方が空気調和機の使用による図柄１２の傷付きを防止することができるのでより望ましい。
【００４７】
【発明の効果】
本発明によると、図柄にハーフミラー処理を施すことによって、光源の点灯により図柄から光が射出されて使用者が空気調和機から離れていても容易に運転状態を把握することができる。また、外光がハーフミラー膜で反射するため外光によって図柄が視認されるおそれがなく、光源が点灯された部分の図柄のみが視認される。従って、空気調和機の運転状態を明確に把握して誤認を防止することができる。
【００４８】
また本発明によると、表示パネルの背面の略全面に形成したハーフミラー膜上に、図柄を除いて不透明体膜を積層することにより、簡単にハーフミラー処理を施した図柄を表示パネルに形成することができる。また、使用による図柄の傷付きを防止することができる
【００４９】
また本発明によると、ハーフミラー処理を施した面が平面から成るので、外光により歪みのない反射像が形成され、美観を向上させることができる。
【００５０】
また本発明によると、ブラケット部と表示部との境界線を直線にすることで外光により映し出される境界線の反射像が直線となり、前面グリルの桟、表示パネルの長手方向と平行になって美観を向上させることができる。また、ブラケット部の厚みを薄くすることによって、境界線の反射像を表示部の上下端面に接近して見えるようにすることができる。これにより該反射像を目立たなくすることができより美観を向上させることができる。
【００５１】
また本発明によると、ブラケット部と係合する爪部または溝部を筐体に設けているので、表示パネルに爪部を突設する必要がなく、ハーフミラー膜の形成面を平面にすることができる。
【００５２】
また本発明によると、表示パネルと光源との間に拡散体を設けているので、光源から射出された光束が拡散体で拡散して透過し、均一な光量の光を図柄から射出させることができる。これにより、図柄の視認性をより向上させることができる。また、拡散体を着色することによって、図柄を簡単に所望の色の光を射出させることができる。これにより、運転状態に応じて発光色を可変して、より明確に運転状態を把握することができる。
【００５３】
また本発明によると、筐体の前部よりも後部の横幅が狭いので、筐体後部の側面の少なくとも一部が筐体前部により隠れて見えなくなる。また、筐体前部の前面を側面から見て前方に凸となる曲面にするとともに、前部と後部との境界を側面から見て後方に凸となる曲面にしているので、筐体前部の上下端の奥行きが狭くなる。これにより、筐体の奥行きがより狭く感じられ、圧迫感を低減して快適な室内空間を提供することができる。
【００５４】
また本発明によると、後部の側面に、水平に延びる縞模様を設けているので、使用者の目の錯覚が生じて筐体後部の奥行きが狭く感じられ、圧迫感をより低減することができる。
【００５５】
また本発明によると、前面グリルの桟と、縞模様と、表示パネルとを水平に配しているので、デザインが統一されて美観を向上させることができ、インテリアとしても快適な室内空間を提供できる。
【図面の簡単な説明】
【図１】    本発明の第１実施形態の空気調和機を示す斜視図である。
【図２】    本発明の第１実施形態の空気調和機を示す側面図である。
【図３】    本発明の第１実施形態の空気調和機の前面パネルを示す斜視図である。
【図４】    本発明の第１実施形態の空気調和機を示す側面断面図である。
【図５】    本発明の第１実施形態の空気調和機の凹部を示す部分斜視図である。
【図６】    本発明の第１実施形態の空気調和機の凹部を示す部分斜視図である。
【図７】    本発明の第１実施形態の空気調和機の表示パネルを示す斜視図である。
【図８】    本発明の第１実施形態の空気調和機の表示パネルを示す側面図である。
【図９】    本発明の第１実施形態の空気調和機の表示パネルを示す正面図である。
【図１０】  本発明の第２実施形態の空気調和機を示す側面断面図である。
【図１１】  従来の空気調和機を示す側面断面図である。
【図１２】  従来の空気調和機の表示パネルを示す正面図である。
【図１３】  従来の空気調和機を示す側面図である。
【符号の説明】
１、１０  表示パネル
１ａ  ブラケット部
１ｂ  表示部
２    前面パネル
２ｃ  凹部
２ｄ  爪部
２ｅ  溝部
２ｆ  突起部
３    オープンパネル
３ａ  前面グリル
４    キャビネット
４ａ  突起部
５    回路基板
６    光源
７    反射板
１１、１８  拡散体
１２    図柄
１５    ハーフミラー膜
１６    不透明体膜
１７    拡散体膜
２０    筐体
【図１】
0003781619.tif 000002
【図２】
0003781619.tif 000003
【図３】
0003781619.tif 000004
【図４】
0003781619.tif 000005
【図５】
0003781619.tif 000006
【図６】
0003781619.tif 000007
【図７】
0003781619.tif 000008
【図８】
0003781619.tif 000009
【図９】
0003781619.tif 000010
【図１０】
0003781619.tif 000011
【図１１】
0003781619.tif 000012
【図１２】
0003781619.tif 000013
【図１３】
0003781619.tif 000014